(57)【特許請求の範囲】
【請求項１】
空気調和装置（１）の室内ユニット（１０）であって、
ケーシング（１１）と、
前記ケーシングの内部に配置され、空気調和された空気を吹出す室内ファン（１２）と、
前記室内ファンを制御する制御部（１６）と、
外気を室内に導入する給気経路（Ｐ０）と、
室内の所定ガスの濃度を測定するガスセンサ（１５）と、
を備え、
前記制御部は、前記給気経路を用いて外気を室内に導入しているとき、前記室内ファンを回転させ、
前記制御部は、前記室内ファンが回転中、前記給気経路を用いて外気を室内に導入しているときに、サーモオフ運転条件が成立したときでも、前記室内ファンの回転を継続させる、
空気調和装置の室内ユニット。
【請求項２】
前記制御部は、前記室内ファンが回転中、かつ、前記給気経路を用いて外気を室内に導入しているときに、前記ガス濃度の測定に関連しない前記室内ファンを停止させる条件が成立したときでも、前記室内ファンの回転を継続させる、
請求項１に記載の空気調和装置の室内ユニット。
【請求項３】
前記制御部は、
前記給気経路を用いて外気を室内に導入していないとき、環境情報に基づいて、前記室内ファンを停止させる条件を第１ファン停止条件としたとき、
前記給気経路を用いて外気を室内に導入しているときは、同一の環境情報に基づいて、前記第１ファン停止条件よりも緩和された第２ファン停止条件で、前記室内ファンを停止させる、
請求項１に記載の空気調和装置の室内ユニット。
【請求項４】
前記制御部は、前記室内ファンが回転中、前記給気経路を用いて外気を室内に導入しているときは、サーモオフ運転条件が成立する温度を、外気を導入していないときよりも冷房運転中は低く設定し、暖房運転中は高く設定する、
請求項３に記載の空気調和装置の室内ユニット。
【請求項５】
前記制御部は、前記室内ファンが停止中、前記給気経路を用いて外気を室内に導入する給気条件が成立したときは、前記室内ファンを回転させ、かつ、外気の給気を行う、
請求項１に記載の空気調和装置の室内ユニット。
【請求項６】
前記室内ファンを回転させるときの室内ファンの回転数は、最大回転数の１／２以下である、
請求項１〜５のいずれか１項に記載の空気調和装置の室内ユニット。
【請求項７】
前記所定ガスは、ＣＯ２ガスである、
請求項１〜６のいずれか１項に記載の空気調和装置の室内ユニット。
【発明の詳細な説明】
【技術分野】
【０００１】
室内の所定ガスの濃度を測定するガスセンサを備えた空気調和装置の室内ユニットに関する。
【背景技術】
【０００２】
空気調和装置において、室内の二酸化炭素のガス濃度を測定するガスセンサを備えて、二酸化炭素のガス濃度が一定以上になると、室内の換気を行う空気調和装置が知られている（たとえば、特許文献１（特開２００５−２２１１０７号公報）参照）。
【発明の概要】
【発明が解決しようとする課題】
【０００３】
室内において、ユーザの位置と室内ユニットの位置が離れている場合も起こりうる。このような場合、室内の空気の攪拌が不十分な場合には、給気を行っても、ユーザに新鮮な空気が十分供給されない恐れがあった。
【課題を解決するための手段】
【０００４】
第１観点の空気調和装置の室内ユニットは、ケーシングと、室内ファンと、制御部と、給気経路と、ガスセンサと、を備えている。室内ファンは、ケーシングの内部に配置され、空気調和された空気を吹出す。制御部は、室内ファンを制御する。ガスセンサは、室内のガス濃度を測定する。制御部は、給気経路を用いて外気を室内に導入しているとき、室内ファンを回転させる。
【０００５】
第１観点の空気調和装置の室内ユニットは、給気経路を用いて外気を室内に導入しているとき、室内ファンが回転しているので、給気された空気をユーザにより確実に提供することができる。
【０００６】
第２観点の空気調和装置の室内ユニットは、第１観点の室内ユニットであって、制御部は、室内ファンが回転中、かつ、給気経路を用いて外気を室内に導入しているときに、ガス濃度の測定に関連しない室内ファンを停止させる条件が成立したときでも、室内ファンの回転を継続させる。
【０００７】
第２観点の空気調和装置の室内ユニットにおいては、給気中、ガス濃度の測定に関連しない室内ファンを停止させる条件が成立したときでも、室内ファンの回転を継続させるので、給気された空気をユーザにより確実に提供することができる。
【０００８】
第３観点の空気調和装置の室内ユニットは、第１観点の室内ユニットであって、制御部は、給気経路を用いて外気を室内に導入していないとき、第１ファン停止条件で、室内ファンを停止させる。第１ファン停止条件とは、環境情報に基づいて、室内ファンを停止させる条件である。制御部は、給気経路を用いて外気を室内に導入しているときは、第２ファン停止条件で、前記室内ファンを停止させる。第２ファン停止条件とは、同一の環境情報に基づいて、第１ファン停止条件よりも緩和された条件である。ここで、より緩和された条件とは、よりファンが停止しにくい条件という意味である。
【０００９】
第３観点の空気調和装置の室内ユニットは、給気中は、より緩和された条件でファンを停止するので、給気された空気をユーザにより確実に提供することができる。
【００１０】
第４観点の空気調和装置の室内ユニットは、第１観点の室内ユニットであって、制御部は、室内ファンが回転中、給気経路を用いて外気を室内に導入しているときに、サーモオフ運転条件が成立したときでも、室内ファンの回転を継続させる。
【００１１】
第４観点の空気調和装置の室内ユニットにおいては、給気中は、サーモオフ運転条件が成立したときでも、室内ファンの回転を継続させるので、給気された空気をユーザにより確実に提供することができる。
【００１２】
第５観点の空気調和装置の室内ユニットは、第４観点の室内ユニットであって、制御部は、室内ファンが回転中、給気経路を用いて外気を室内に導入しているときは、サーモオフ運転条件が成立する温度を、外気を導入していないときよりも冷房運転中は低く設定し、暖房運転中は高く設定する。
【００１３】
第５観点の空気調和装置の室内ユニットにおいては、給気中、サーモオフ運転条件が成立する温度を、外気を導入していないときよりも冷房運転中は低く設定し、暖房運転中は高く設定しているので、サーモオフとなりにくく、室内ファンの回転を継続させるので、給気された空気をユーザにより確実に提供することができる。
【００１４】
第６観点の空気調和装置の室内ユニットは、第１観点の室内ユニットであって、制御部は、室内ファンが停止中、給気経路を用いて外気を室内に導入する給気条件が成立したときは、室内ファンを回転させ、かつ、外気の給気を行う。
【００１５】
第６観点の空気調和装置の室内ユニットは、給気中、室内ファンを回転させるので、給気された空気をユーザにより確実に提供することができる。
【００１６】
第７観点の空気調和装置の室内ユニットは、第１観点〜第６観点のいずれかの室内ユニットであって、室内ファンを回転させるときの室内ファンの回転数は、最大回転数の１／２以下である。
【００１７】
第８観点の空気調和装置の室内ユニットは、第１観点〜第７観点のいずれかの室内ユニットであって、所定ガスは、ＣＯ２ガスである。
【００１８】
第８観点の空気調和装置の室内ユニットにおいては、所定ガスは、ＣＯ２ガスであるので、外気を室内に導入することにより、ＣＯ２ガス濃度を低下させることができる。
【図面の簡単な説明】
【００１９】
【図１Ａ】第１実施形態の空気調和装置１を室内に配置した図である。
【図１Ｂ】第１実施形態の空気調和装置１の外観図である。
【図２】第１実施形態の空気調和装置１の冷媒回路２および給気経路３を示す図である。
【図３Ａ】第１実施形態の室内ユニット１０の正面図である。
【図３Ｂ】第１実施形態の室内ユニット１０の側面図である。
【図３Ｃ】第１実施形態の室内ユニット１０を側面、やや下方から見た図である。
【図４】第１実施形態のケーシング１１内の給気配管１９を示す図である。
【図５】第１実施形態の給気時のガス濃度変化を示すタイミングチャートである。
【図６】第１実施形態のファン制御方法を示すフローチャートである。
【図７】第１実施形態の制御の構成を示すブロック図である。
【図８】変形例１Ａの空気調和装置１ａを室内に配置した図である。
【発明を実施するための形態】
【００２０】
＜第１実施形態＞
（１）空気調和装置１の全体構成
第１実施形態の空気調和装置１の外観を図１に、冷媒回路２および給気経路３を図２に示す。
【００２１】
本実施形態の空気調和装置１は、室内ユニット１０と、室外ユニット２０と、室内ユニット１０と室外ユニット２０とを接続する、冷媒配管２ａ、２ｂと給気配管３５と、を有している。
【００２２】
室内ユニット１０は、図１、２、３Ａ〜３Ｃに示すように、室内熱交換器１４、室内膨張弁１７、室内ファン１２を有している。室内ユニット１０は、室内に配置する。
【００２３】
室外ユニット２０は、室外冷媒回路部６と給気部５とを有している。室外ユニット２０は、室外、通常、戸外に配置する。
【００２４】
室外冷媒回路部６は、圧縮機２１、アキュムレータ２２、四方切換弁２３、室外熱交換器２４、室外熱交換器用ファン２６、室外膨張弁２５と、それらを接続する配管を有している。
【００２５】
給気経路３は、室外ユニット２０の給気部５、室外ユニット２０と室内ユニット１０を繋ぐ給気配管３５、室内ユニット１０内の給気配管１９と給気経路Ｐ０、Ｐ１とを有する。
【００２６】
室外ユニットの給気部５は、吸気口３２と、給気ファン３１と、室外ユニット２０内の給気配管３３と、を有している。
【００２７】
本実施形態の空気調和装置１は、室内ユニット１０を配置する室内の、冷房、暖房、除湿、給気などの空気調和を行うことができる。
【００２８】
本実施形態の空気調和装置において、冷房運転、暖房運転は、冷媒回路２を利用して実現される。冷房運転、暖房運転の切換は、四方切換弁２３において、冷媒の流れの向きを切り換えることにより実現される。
【００２９】
冷房運転時は、圧縮機２１を吐出された冷媒は、四方切換弁２３、室外熱交換器２４、室外膨張弁２５、室内熱交換器１４、四方切換弁２３、アキュムレータ２２の順に流れ、圧縮機２１に再び吸込まれる。この間、室外熱交換器２４が放熱器として機能して、外気を加熱し、室内熱交換器１４が蒸発器として機能して、室内空気を冷却する。
【００３０】
暖房運転時は、圧縮機２１を吐出された冷媒は、四方切換弁２３、室内熱交換器１４、室外膨張弁２５、室外熱交換器２４、四方切換弁２３、アキュムレータ２２の順に流れ、圧縮機２１に再び吸込まれる。この間、室内熱交換器１４が放熱器として機能して、室内空気を加熱し、室外熱交換器２４が蒸発器として機能して、外気を冷却する。
【００３１】
給気運転は、給気経路３を用いて、実施される。給気ファン３１が回転すると、室外ユニット２０の給気部５の吸気口３２より、外気が、室外ユニット２０内に取り込まれる。室外ユニット２０に取り込まれた外気は、室外ユニット２０の給気配管３３、給気ファン３１、給気配管３３を経由して流れる。さらに、室外ユニット２０と室内ユニット１０を連絡する給気配管３５内を外気は流れて、室内ユニット１０の内部に入る。外気は、室内ユニット１０の内部から、室内ユニット１０の外の室内に流入する。
【００３２】
（２）詳細構成
（２−１）室内ユニット１０
室内ユニット１０の前面パネル４２を取り外した正面図を図３Ａに、左側面図を図３Ｂに、左側面やや下方から見た図を図３Ｃに示す。室内ユニット１０は、ケーシング１１、室内ファン１２、ガスセンサ１５、制御部１６、室内熱交換器１４、フラップ１８、室内給気配管１９、給気経路Ｐ０、Ｐ１を有している。
【００３３】
（２−１−１）ケーシング１１
本実施形態の室内ユニット１０においては、ケーシング１１を配置し、ケーシング内部に、室内ファン１２、ガスセンサ１５、制御部１６、室内熱交換器１４、室内給気配管１９を収容している。フラップ１８は、ケーシング１１の下部に取り付けられている。
【００３４】
ケーシング１１は、後面が室内の壁にかけられている。ケーシング１１の後面より、冷媒配管２ａ、２ｂ、給気配管３５などが接続され、壁を通過して、室外に配置されている室外ユニットに接続される。
【００３５】
ケーシング１１の上面には、穴が開けられており、室内の空気の吸込口４１となっている。
【００３６】
（２−１−２）室内ファン１２、室内熱交換器１４
室内ファン１２は、図３Ｂに示すように、ケーシング１１内部、中央に配置されている。室内ファン１２は、クロスフローファンである。室内ファン１２は、図３Ｂにおいては、時計回りに回転して、空気を時計回りの方向に移動させる。
【００３７】
室内熱交換器１４は、図３Ｂに示すように、ケーシング１１の内部で、室内ファン１２の外側の空間に配置されている。室内ファン１２が回転すると、室内空気は、ケーシング１１の上部の吸込口４１より、ケーシング１１の内部に取り込まれ、室内熱交換器１４を通過して熱交換し、ケーシング１１の下部のフラップ１８ａ、１８ｂの部分より、室内に吹出される。
【００３８】
（２−１−３）フラップ１８
フラップ１８は、ケーシング１１の下方に取り付けられている。本実施形態においては、フラップ１８ａ、１８ｂは２枚構成である。フラップ１８は、空気調和装置１の停止時は、通常、図３Ｃに示すように、閉である。空気調和装置１の運転時は、図１に示すように、フラップ１８ａ、１８ｂに示すように開となり、両フラップ１８ａ、１８ｂの間、ケーシング１１とフラップ１８ａの間などから、空気は吹出される。フラップ１８ａ、１８ｂは、その開度の角度を変更することによって、吹出す空気の角度を変更する。これによって、吹出し空気の方向を室内ユニット１０の前方に吹出すか、鉛直下方に吹出すか、その中間方向か、を制御することができる。また、２つのフラップ１８ａ、１８ｂは、通常、吹出された空気を同一の方向に導くように、略同一の方向に、略同一の角度に制御される。ここでフラップ１８ａ、１８ｂの開度は、図３Ｃの完全閉の状態を０度として、１２０度まで角度を変更できる。なお、本明細書において、フラップの閉とは、０度の場合だけでなく、実質的に空気が吹出されない状態、角度が５度以下の場合を含む。
【００３９】
（２−１−４）室内ユニット１０内の外気の給気経路Ｐ０、Ｐ１と給気配管１９
室内ユニット１０内の給気経路は、給気配管１９の内部と、給気配管１９の吹出口１９ａを出た後、ケーシング１１内から外の室内に至る給気経路Ｐ０、Ｐ１に分かれる。
【００４０】
給気配管１９は、給気配管１９は、図４に示す形状を有している。給気配管１９の一端は、接続口１９ｂである。接続口１９ｂは、室外ユニット２０と室内ユニット１０を接続する給気配管３５に接続する。給気配管１９の他端は、吹出口１９ａである。吹出口１９ａは、室内ユニット１０の左側に配置されており、室内熱交換器１４に対向して配置されている。給気配管１９の接続口１９ｂと吹出口１９ａの間の中央部分は、扁平な形状をしており、室内ユニット１０の左側面に配置されている。
【００４１】
外気は、室外ユニット２０において取り込まれ、給気配管３５を経由して、室内ユニット１０に入る。室内ユニット１０の給気配管１９を流れた空気は、吹出口１９ａから室内熱交換器１４の方向に吹出される。
【００４２】
室内ファン１２が運転中のときは、吹出口１９ａから吹出された外気は、吸込口４１から取り込まれた空気に合流して、フラップ１８ａ、１８ｂ近傍より、室内に吹出される。言い換えると、図３Ｂに示すように、ファン１２が回転中のときの給気経路Ｐ０は、吸込口４１から吸込まれる空気に途中から合流する。この場合の給気経路Ｐ０は、ガスセンサ１５を通過しない。
【００４３】
室内ファン１２が停止中のときは、吹出口１９ａから吹出された外気の給気経路Ｐ１はは、ケーシング１１の内部空間に広がり、外気は、吸込口４１等のケーシング１１の穴から室内に放出される。給気経路Ｐ１は、図３Ａ〜３Ｃに示すように、主に、吹出口１９ａとファン１２の間に広がっている。一部の給気経路Ｐ１は、図３Ａの矢印Ａ１に示すように、ガスセンサ１５に到達する。
【００４４】
給気をするときは、室外ユニット２０の給気ファン３１を回転させる。給気ファン３１は、給気経路３の別の場所に配置されていても良い。たとえば、室内ユニット１０に配置されていても良い。
【００４５】
（２−１−５）ガスセンサ１５
本実施形態の空気調和装置１の室内ユニット１０は、ガスセンサ１５を備えている。ガスセンサ１５は、二酸化炭素（ＣＯ２）ガスセンサである。本実施形態の空気調和装置１は、ＣＯ２ガスセンサ１５を備えているので、室内のＣＯ２ガス濃度が高い場合は、室内に、給気経路３を利用して外気を取り込み、室内のＣＯ２ガス濃度を低下させるなどの対策をすることができる。
【００４６】
ガスセンサ１５は、光学式のガスセンサである。ガスセンサ１５は、発光部と受光部とを有する。発光部は、赤外光を発する光源を含んでいる。受光部は、ディテクタとフィルタとを有する。ガスセンサの原理は、非分散赤外線吸収法である。原子間振動による分子エネルギーの共振により、ガス分子特有の周波数（波長）の光が吸収されることにより、ガス量を特定する。ガスセンサとしては、自己加熱サーミスタ方式のものであってもよい。
【００４７】
ガスセンサ１５は、図３Ａに示すように、ケーシング１１の内側で、前面の近く、右端、上方に配置されている。ガスセンサ１５の配置位置は、室内ファン１２を停止したときの、給気経路Ｐ１中である。
【００４８】
ガスセンサ１５は、ガスセンサ１５が配置された場所のガス濃度を測定する。言い換えると、ケーシング１１内のガス濃度を検出する。したがって、給気が行われていないときは、室内のガス濃度を測定する。
【００４９】
給気が行われているときは、室内ファン１２が回転しているか否かによって、ガスセンサ１５が検出するガス濃度が異なる。室内ファン１２が回転しているときは、ガスセンサ１５は、室内のガス濃度を測定する。一方、室内ファン１２が回転しているときは、ガスセンサ１５は、外気のガス濃度を測定する。給気が行われており、かつ、室内ファンが回転していないときは、給気配管１９の吹出口１９ａから吹出された外気は、給気経路Ｐ１に示すように、ケーシング１１内に広がり、実質的に、ケーシング１１内を満たすようになるからである。
【００５０】
給気時の室内ファン１２の回転速度は、低速であっても良い。たとえば、通常、ユーザが設定できる最小の風量を下回る風量であっても良い。たとえば、室内ファン１２の回転数は、最大回転数の１／２以下である。最大回転数の１／３以下であってもよい。
【００５１】
（２−１−６）制御部１６
制御部１６はマイクロプロセッサである。制御部１６は、ＣＰＵと記憶部とを含んでいる。制御部１６の制御の概略構成を示すブロック図を図７に示す。制御部１６は、空気調和装置１による暖房運転、冷房運転、給気運転を制御する。制御部１６は、室内ファン１２、四方切換弁２３、圧縮機２１、室外熱交換器用ファン２６、室外膨張弁２５、給気ファン３１、室内膨張弁１７、ガスセンサ１５を制御する。
【００５２】
制御部１６は、ケーシング１１の内側で、右端の部分に配置されている。制御部１６は他の位置に配置されていても良い。
【００５３】
（２−２）室外ユニット２０
室外ユニット２０については、（１）全体構成で既に説明したので、説明を省略する。
【００５４】
（３）給気時の室内ファン１２の制御方法
本実施形態の空気調和装置１の室内ユニット１０における、給気時の室内ファン１２の制御方法について、図５のタイミングチャート、図６のフローチャートを用いて説明する。
【００５５】
本実施形態では、空気調和装置１の運転中で、室内の冷房を行っているときに、時刻ｔ１において、ガスセンサ１５で測定する所定ガス（ＣＯ２ガス）の濃度測定値が、第１閾値Ｃ１を超えた（Ｓ１０１）ケースを想定する。ここで、第１閾値Ｃ１とは、室内の所定ガスのガス濃度がその値を超えたときに、空気調和装置１が給気を開始する濃度である。戸外のＣＯ２ガスの濃度は、約４１０ｐｐｍ（日本の２０１８年の測定値）であり、たとえば、第１閾値Ｃ１は、２０００ｐｐｍである。
【００５６】
所定ガスの濃度測定値が、第１閾値Ｃ１を超える（Ｓ１０１）と、制御部１６は、給気ファン３１を回転させて、給気を開始する（時刻ｔ１、Ｓ１０２）。このとき、空気調和装置１は、運転中なので、室内ファン１２は、回転中である。外気の導入に従い、室内のＣＯ２ガス濃度は低下し、ガスセンサ１５の測定値も低下する。
【００５７】
給気中、空気調和装置が冷房運転、および、給気を続けて、時刻ｔ２でサーモオフ運転条件が成立したとする（Ｓ１０３）。サーモオフ運転条件とは、冷房時においては、実際の室内温度がユーザの設定温度を下回り、または、近づき、室内ファンの停止など、冷房運転を停止する条件のことである。通常、サーモオフ運転条件が成立すると、室内ファン１２を停止させる。給気した状態で、室内ファン１２が停止すると、ガスセンサ１５は、室外の空気のガス濃度を測定してしまい、図５の実線に示すように、ガス濃度は急速に低下し、外気のガス濃度Ｃ０近くまで、低下する。ガス濃度Ｃ０は、給気を終了する第２閾値Ｃ２を下回っているので、制御部１６は、給気を中止する。
【００５８】
そこで、本実施形態においては、時刻ｔ２でサーモオフ運転条件が成立（Ｓ１０３）しても、室内ファン１２の回転を継続する（Ｓ１０４）。そうすることで、ガスセンサ１５は、図５の点線に示すように、室内の空気のＣＯ２ガス濃度を継続して測定することができ、十分な外気の取り込みを行うことができる。
【００５９】
時刻ｔ２の後も給気を続けた後、時刻ｔ４で、室内のガス濃度を測定するガスセンサ１５の測定値が第２閾値Ｃ２を下回ったとき（Ｓ１０５）、給気は終了（Ｓ１０６）する。言い換えると、制御部１６は、給気ファン３１の回転を停止させる。
【００６０】
（４）特徴
（４−１）
本実施形態の空気調和装置１の室内ユニット１０は、室内ファン１２と、制御部１６と、給気経路Ｐ０と、ガスセンサ１５と、を有している。制御部１６は、室内ファン１２を制御する。給気経路Ｐ０は、室内ファン１２の回転時に、外気を室内に導入する経路である。ガスセンサ１５は、ＣＯ２ガス濃度を測定する。
【００６１】
そして、制御部１６は、外気の給気中に、サーモオフ運転条件が成立しても、室内ファン１２の回転を停止させない。
【００６２】
もし、室内ファン１２を停止させると、ガスセンサ１５は、外気のガス濃度を読み取るようになり、制御部１６は、給気が十分に行われず、室内のＣＯ２ガス濃度が十分に下がっていなくても、給気を停止させてしまうおそれがある。
【００６３】
そこで、本実施形態においては、外気の給気中に、サーモオフ運転条件が成立しても、室内ファン１２の回転を継続することにより、給気経路Ｐ０がガスセンサ１５を通過するのを防止し、給気を継続させる。
【００６４】
（４−２）
本実施形態の空気調和装置１は、図１に示すように、通常、室内の壁面の比較的高い位置に配置される。したがって、たとえば、この部屋が寝室であれば、ベッド５０でユーザが寝ている場合には、ユーザの呼吸する口の位置と、空気調和装置１の室内ユニットは、離れている。
【００６５】
（４−１）で説明したとおり、本実施形態の空気調和装置１の室内ユニット１０においては、制御部１６は、外気の給気中に、サーモオフ運転条件が成立しても、室内ファン１２の回転を停止させない。室内ファン１２を停止させると、室内の空気の攪拌が不十分となり、導入された新鮮な外気がユーザに十分供給されなくなる恐れがある。本実施形態の空気調和装置１の室内ユニット１０においては、室内ファン１２の回転を継続するので、新鮮な外気を十分にユーザに供給することができる。
【００６６】
（５）変形例
（５−１）変形例１Ａ
第１実施形態では、サーモオフ運転条件が成立しても、室内ファン１２を停止させない例について説明した。サーモオフ運転条件以外の条件であっても良い。
【００６７】
変形例１Ａでは湿度の条件である。
【００６８】
たとえば、空気調和装置１が除湿運転中に、外気を給気し、さらに、湿度が下がり、除湿運転停止の条件が成立したとする。変形例１Ａでは、この場合も、制御部１６は、室内ファン１２を停止させない。この場合も、（４−１）、（４−２）と同様の作用効果を生じる。
【００６９】
（５−２）変形例１Ｂ
第１実施形態では、サーモオフ運転条件が成立したときに、室内ファン１２を停止させないように制御した。変形例１Ｂでは、サーモオフ運転条件を給気中と、給気を行っていないときとで変更する。ここでは、給気を行っていないときのサーモオフ運転条件を第１サーモオフ運転条件と、給気中のサーモオフ運転条件を第２サーモオフ運転条件と呼ぶ。変形例１Ｂにおいては、第１サーモオフ運転条件より、第２サーモオフ運転条件の方が緩和されている。言い換えると、第２サーモオフ運転条件の方が成立しにくい。
【００７０】
より具体的には、たとえば、冷房時に、ユーザの設定温度に、室内温度が到達したときに、第１サーモオフ運転条件が成立する場合は、第２サーモオフ運転条件は、室内温度がユーザの設定温度−２℃に到達したときに成立する。
【００７１】
変形例１Ｂにおいては、給気中は、給気していないときに比べて、サーモオフ運転条件が成立しにくい。したがって、給気中に室内ファン１２の回転が停止することが起こりにくく、ガスセンサ１５によりガス濃度が正しく評価され、給気がより適切に行われる。
【００７２】
（５−３）変形例１Ｃ
変形例１Ｂにおいては、ファン１２を停止させる条件は、サーモオフ運転条件であった。ファンを停止させる条件は、サーモオフ運転条件以外の条件であってもよい。一般に、室内の温度や湿度などの条件を環境条件とすると、変形例１Ｃは次のように説明することができる。
【００７３】
給気していないときの、環境条件における、室内ファン１２の停止条件を第１ファン停止条件と呼ぶ。これに対して、給気中に、同一の環境条件における、ファンの停止条件を第２ファン停止条件と呼ぶ。変形例１Ｃにおいては、第２ファン停止条件を第１ファン停止条件よりも緩和する。言い換えると、第２ファン停止条件のほうが、第１ファン停止条件よりもよりファンを停止しにくくする。
【００７４】
より具体的には、変形例１Ｃは、変形例１Ａと同様に、除湿運転中の制御である。給気をしていないときは、除湿運転を停止する室内の湿度を５０％に設定する。これが、第１ファン停止条件である。一方、給気運転中は、除湿運転を停止する室内の湿度を３０％に設定する。これが、第２ファン停止条件である。変形例１Ｃでは、このように、給気運転中の第２ファン停止条件を、給気をしていないときの第１ファン停止条件よりも緩和する。これにより、給気中はファン１２の運転をなるべく継続することにより、ガスセンサ１５によりガス濃度がより正しく評価され、給気がより適切に行われる。
【００７５】
（５−４）変形例１Ｄ
第１実施形態では、室内ファン１２の運転中に給気を行う場合について、説明した。室内ファン１２の停止中に給気を行う場合にも本開示は有効である。
【００７６】
変形例１Ｄにおいては、サーモオフ状態で、室内ファン１２が停止中に、ガスセンサ１５は、室内のＣＯ２ガス濃度が第１閾値Ｃ１以上に上昇していていることを検知する。制御部１６は、給気ファン３１を回転させ、給気を始めるとともに、室内ファン１２を回転させる。制御部１６は、室内ファン１２を回転させることにより、ガスセンサ１５によりガス濃度がより正しく評価させ、給気をより適切に行うことができる。
【００７７】
（５−５）変形例１Ｅ
第１実施形態として、ガスセンサ１５としてＣＯ２ガスセンサを用いる例について説明した。ガスセンサは、他のガスを測定するセンサであってもよい。変形例１Ａでは、ガスセンサは、ＶＯＣ（揮発性有機化合物）を測定するセンサである。ＶＯＣとしては、ホルムアルデヒド、トルエン、キシレン、エチルベンゼン、スチレン、アセトアルデヒドのいずれか、または、その組み合わせである。
【００７８】
またガスセンサは、ＩＡＱ（室内空気質）センサであってもよい。
【００７９】
（５−６）変形例１Ｆ
第１実施形態の空気調和装置１は、給気機能を有していた。空気調和装置は、さらに、加湿機能を有していても良い。変形例１Ｄの空気調和装置１は、給気経路３と共用の加湿経路を有している。
【００８０】
変形例１Ｆの空気調和装置１は、室外ユニット２０において、外気から水分を取り込む。取り込んだ水分を室外の給気配管３３内で外気に混合し、給気経路３を経由して、室内ユニット１０から、室内へ吹出す。こうして、室内の空気を加湿することができる。必要に応じて、室内熱交換器１４で、加湿された空気を加熱することもできる。
【００８１】
変形例１Ｆの空気調和装置１は、水分を外気に含ませるか否かを切り換えることにより、加湿か、単なる給気かを切り換えて用いることができる。
【００８２】
＜第２実施形態＞
（６）第２実施形態の空気調和装置１ａの構成
第１実施形態の空気調和装置１の室内ユニット１０は、ケーシング１１の内部に、ガスセンサ１５を備えていた。第２実施形態の空気調和装置１００ａの室内ユニット１０ａにおいては、ガスセンサ１５ａは、図８に示すように、ケーシング１１の外に離れて配置されている。ガスセンサ１５ａは、制御部１６ａに有線または無線で接続されている。その他の空気調和装置１ａの構成は、第１実施形態の空気調和装置１と同様である。
【００８３】
第２実施形態の空気調和装置１ａの室内ユニットにおいては、第１実施形態の（４−１）で説明したのと同様に、給気中に、サーモオフ運転条件が成立しても、室内ファン１２の回転を継続する。この制御によって、室内の空気を攪拌することができ、ユーザが室内の外気供給部から離れていても、新鮮な外気を十分にユーザに供給することができる。
【００８４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８５】
１、１ａ      空気調和装置
２            冷媒回路
３            給気経路
５            給気部
６            室外冷媒回路部
１０、１０ａ  室内ユニット
１１          ケーシング
１２          室内ファン
１４          室内熱交換器
１５、１５ａ  ガスセンサ
１６          制御部
１８、１８ａ、１８ｂ      フラップ
１９          室内給気配管
１９ａ        吹出口
１９ｂ        接続口
２０          室外ユニット
３１          給気ファン
Ｐ０          室内ファン１２回転時の給気経路
Ｐ１          室内ファン１２停止時の給気経路
【先行技術文献】
【特許文献】
【００８６】
【特許文献１】特開２００５−２２１１０７号公報
【図１Ａ】
0006939847.tif 000002
【図１Ｂ】
0006939847.tif 000003
【図２】
0006939847.tif 000004
【図３Ａ】
0006939847.tif 000005
【図３Ｂ】
0006939847.tif 000006
【図３Ｃ】
0006939847.tif 000007
【図４】
0006939847.tif 000008
【図５】
0006939847.tif 000009
【図６】
0006939847.tif 000010
【図７】
0006939847.tif 000011
【図８】
0006939847.tif 000012